【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
スプレーノズル組立体であって、前記スプレーノズル組立体が、
液体流路を有するノズル本体であって、前記液体流路が、加圧液体供給部に連結されており、前記スプレーノズル組立体からの放出のために、前記ノズル本体を通じて液体を導き、
前記ノズル本体が、加圧空気供給部に連結するための少なくとも１つの空気通路を有する、ノズル本体と、
前記ノズル本体の放出端部に装着された空気キャップと
を備え、
前記空気キャップが、前記空気キャップの下流側端部に中央凹部を有するように形成されており、前記空気キャップが中央開口部を有し、前記ノズル本体を通じて導かれた液体が、前記中央開口部を通過して、前記空気キャップの前記開口部の中央流れ軸線に沿って前記スプレーノズル組立体から放出され、前記空気キャップが、前記中央開口部の周りに、前記ノズル本体の前記少なくとも１つの空気通路と連通する第１の複数の周方向に離間した空気導出通路を有し、
前記複数の周方向に離間した空気通路が、前記空気キャップの前記中央開口部の前記中央流れ軸線に対して複合角度に向けられて加圧空気流ストリームを前記中央凹部に導き、前記加圧空気流ストリームが、前記スプレーノズル組立体から放出される液体と相互作用して、放出液体流ストリームを霧化しながら、前記霧化された液体に接線方向を付与し、前記接線方向の付与が、霧化を高め、前記放出される液体に旋回運動を行わせて、前記放出される液体を、液体粒子が拡張円錐状スプレーパターンにわたって分散されるスプレーパターンにする、
スプレーノズル組立体。
【請求項２】
前記空気キャップの前記周方向に離間した空気通路が、軸線を有し、前記軸線が、前記空気キャップの前記開口部の前記中央流れ軸線に平行な平面内でみたときに、前記中央流れ軸線に対して鋭角に延びており、前記中央流れ軸線に垂直な平面内でみたときに、前記スプレーノズル組立体から放出される液体に接線方向を付与してフルコーンスプレーパターンを形成するように向けられている、請求項１に記載のスプレーノズル組立体。
【請求項３】
前記ノズル本体の下流側端部に配設されたスプレー先端部を含み、前記スプレー先端部が、前向きに延びる縮径したノーズ部を有し、前記ノーズ部が、前記空気キャップの前記中央開口部内に配置されており、前記ノーズ部の放出オリフィスから放出される前記液体流ストリームを加速させる、請求項２に記載のスプレーノズル組立体。
【請求項４】
前記空気キャップが、前記ノズル本体の前記少なくとも１つの空気通路と前記空気キャップの前記複数の周方向に離間した空気通路との間を連通させる内部環状空気チャンバを形成している、請求項２に記載のスプレーノズル組立体。
【請求項５】
前記空気キャップの前記複数の周方向に離間した空気通路の各々が、軸線を有し、前記軸線が、前記中央流れ軸線に平行な平面内でみたときに、前記空気キャップの前記開口部の前記中央流れ軸線に対して４０から５０度の間の鋭角で延びており、前記空気キャップの前記開口部の前記中央流れ軸線に垂直な平面内でみたときに、前記空気通路の下流側端部において前記空気キャップの前記複数の周方向に離間した空気通路の中心を通る円に対して接線方向の線として延びている、請求項１に記載のスプレーノズル組立体。
【請求項６】
前記空気キャップの前記複数の周方向に離間した空気通路が、軸線を有し、前記軸線が、前記中央流れ軸線に平行な平面内でみたときに、前記中央流れ軸線に対して鋭角に延びており、前記中央流れ軸線に垂直な平面内でみたときに、前記空気通路の下流側端部において前記複数の周方向に離間した空気通路の中心を通る円に対して接線方向の線に対して１０度以内に向けられている、請求項１に記載のスプレーノズル組立体。
【請求項７】
前記複数の周方向に離間した空気通路のうち互いに反対側にある前記空気キャップの前記空気通路が、互いに平行な関係で向けられた軸線を有する、請求項１に記載のスプレーノズル組立体。
【請求項８】
前記空気キャップの前記中央凹部が、下流側方向に外方に傾斜した第１の中央の内方に向いた円錐台形凹部を有するように形成されており、前記空気キャップの前記複数の空気通路が、前記円錐台形凹部によって連通し、前記円錐台形凹部内に連通している、請求項１に記載のスプレーノズル組立体。
【請求項９】
前記空気キャップが、前記ノズル本体の前記少なくとも１つの空気通路と、前記空気キャップの前記複数の周方向に離間した空気通路との間を連通させる内部環状空気チャンバを形成しており、前記空気キャップの前記中央開口部および前記スプレー先端部の前記ノーズ部が、前記内部環状空気チャンバとの間で連通する環状空気流路を形成して、環状加圧空気流ストリームを、前記スプレー先端部から放出される液体の近くに導いて、前記円錐状スプレーパターンの角度を制御しながら前記放出される液体の霧化を高める、請求項３に記載のスプレーノズル組立体。
【請求項１０】
前記空気キャップが、前記空気キャップの前記中央開口部を形成するとともに前記ノズル本体の前記液体流路と連通する一体的に形成されたスプレー先端部を有し、前記一体的に形成されたスプレー先端部が、その下流側端部に放出オリフィスを形成しており、前記放出オリフィスを通じて、液体が前記スプレーノズル組立体から放出されて、前記空気キャップの前記周方向に離間した空気通路からの加圧空気流ストリームによる相互作用を受ける、請求項１に記載のスプレーノズル組立体。
【請求項１１】
前記空気キャップが、前記第１の円錐状凹部の上流側に、前記第１の円錐状凹部より小さい円錐角を有する第２の円錐状凹部を有するように形成されており、前記空気キャップが、前記第２の円錐状凹部によって連通する第２の複数の周方向に離間した空気通路を有するように形成されており、それによって、前記第２の複数の周方向に離間した空気通路が、前記第１の円錐状凹部と連通する前記周方向に離間した空間通路からの前記放出液体流ストリームと相互作用する加圧空気流ストリームの上流側で、前記スプレーノズル組立体から放出される液体と相互作用し、前記第２の複数の周方向に離間した空気通路の直径が、前記第１の円錐状凹部によって連通する前記加圧空気通路より小さい、請求項８に記載のスプレーノズル組立体。
【請求項１２】
スプレーノズル組立体であって、前記スプレーノズル組立体が、
液体流路を有するノズル本体であって、前記液体流路が、加圧液体供給部に連結されており、前記スプレーノズル組立体からの放出のために、前記ノズル本体を通じて液体を導き、
前記ノズル本体が、加圧空気供給部に連結するための少なくとも１つの空気通路を有する、ノズル本体と、
前記ノズル本体の放出端部に装着された空気キャップと
を備え、
前記空気キャップが、下流側方向に外方に傾斜した中央の内方に向いた円錐台形凹部を有するように形成されており、
前記空気キャップが、前記中央凹部に対して中央に配設された一体的に形成されたスプレー先端部を有し、
前記スプレー先端部が、前記ノズル本体の前記液体流路と連通する中央液体流路を有し、下流側端部に、前記スプレー先端部の前記中央凹部に加圧液体を放出する液体放出オリフィスを形成しており、
前記空気キャップが、前記スプレー先端部の前記放出オリフィス周りに、複数の周方向に離間した空気導出通路を有するように形成されており、前記複数の周方向に離間した空気導出通路が、前記ノズル本体の前記少なくとも１つの空気通路との間で連通し、前記円錐状凹部によって連通し、前記円錐状凹部内に連通して、加圧空気流ストリームを前記中央凹部に導き、前記加圧空気流ストリームが、前記スプレー先端部の前記放出オリフィスから放出される液体と相互作用して放出液体流ストリームを霧化する、
スプレーノズル組立体。
【請求項１３】
前記空気導出通路が、前記スプレー先端部の前記液体流路の中央流れ軸線と交差関係に延びる流れ軸線を有する、請求項１２に記載のスプレーノズル組立体。